(57)【特許請求の範囲】
【請求項１】
設定・確認操作用の設定入力手段を備えた自動販売機において、前記設定入力手段が起動されてから、所定時間経過したら、前記設定入力手段の操作を無効として販売待機状態とするとともに、前面の扉の開閉状態を検知するドアスイッチを備え、前記ドアスイッチにより扉が開と検知している状態では、前記設定入力手段を操作中に所定時間経過した場合、所定時間を延長することを特徴とする自動販売機。
【請求項２】
請求項１に記載の自動販売機において、所定時間を複数記憶し、設定入力手段の操作項目に基づいて、所定時間を変更することを特徴とする自動販売機。
【請求項３】
請求項１に記載の自動販売機において、カレンダ機能を備え、予め設定された日は、所定時間を延長することを特徴とする自動販売機。
【発明の詳細な説明】
【技術分野】
【０００１】
本発明は、設定入力手段を操作して、各種設定、各種確認作業などが行える自動販売機に関する。
【背景技術】
【０００２】
従来の自動販売機は、設定装置（リモコン）を備え、この設定装置を操作して各種設定・確認作業を行っている。
【０００３】
この設定装置の操作後、販売待機状態に復帰させるには、設定装置の終了キーを押し、販売待機状態に復帰させていた（例えば、特許文献１参照）。
【先行技術文献】
【特許文献】
【０００４】
【特許文献１】特開２００６−１２７０８６号公報
【発明の概要】
【発明が解決しようとする課題】
【０００５】
上記構成において、設定装置の終了キーの操作を忘れると、販売待機状態に復帰しないため、販売できない状態が続いてしまう。
【０００６】
そこで、終了キー操作忘れ防止により、販売待機状態に復帰しない不具合防止のため、終了キー以外のキー操作後、一定時間操作が無いと販売待機状態に復帰させるようにすることも考えられている。
【０００７】
この一定時間は、作業員の作業には各種作業があるため、余裕を持って長い時間に設定してある場合があり、結果的に販売待機状態への復帰まで時間を要することがあった。
【０００８】
本発明は、上記課題を解決するためになされたものであり、リモコン操作時からの販売待機状態への復帰を確実に行えるようにする自動販売機を提供することを目的とする。
【課題を解決するための手段】
【０００９】
上記目的を達成するために、本発明の自動販売機は、以下の手段により構成されるものである。
（１）設定・確認操作用の設定入力手段を備えた自動販売機において、前記設定入力手段が起動されてから、所定時間経過したら、前記設定入力手段の操作を無効として販売待機状態とするとともに、前面の扉の開閉状態を検知するドアスイッチを備え、前記ドアスイッチにより扉が開と検知している状態では、前記設定入力手段を操作中に所定時間経過した場合、所定時間を延長することを特徴とする。
（２）上記自動販売機において、所定時間を複数記憶し、設定入力手段の操作項目に基づいて、所定時間を変更することを特徴とする。
（３）上記自動販売機において、カレンダ機能を備え、予め設定された日は、所定時間を延長することを特徴とする。
【発明の効果】
【００１０】
本発明は、設定入力手段が起動されてから、所定時間経過したら、前記設定入力手段の操作を無効として販売待機状態とすることにより、販売待機状態に復帰できないことが無くなる。
【００１１】
また、ドアスイッチの検知により、所定時間を延長できるため、作業者にとっては、作業時間が長く掛かる場合であっても、時間を意識することなく、作業に集中できる。
【００１２】
さらに、操作項目、設定された日によって所定時間が自動的に変更されるため、時間を意識することなく、作業に集中できる。
【図面の簡単な説明】
【００１３】
【図１】本発明の実施形態にかかる自動販売の構成を示すブロック図である。
【図２】本発明の第１の実施形態を示すフローチャート図である。
【図３】本発明の第２の実施形態を示すフローチャート図である。
【図４】本発明の対象となる自動販売機を示す概略正面図である。
【図５】本発明の対象となる自動販売機の内部を示す概略斜視図である。
【発明を実施するための形態】
【００１４】
以下に図面を参照しながら、本発明に係る自動販売機の実施の形態について説明する。
【００１５】
まず、本発明の対象となる自動販売機の一例を図５．図６を用いて説明するものであり、図５は概略正面図、図６は外扉を開放した状態における概略斜視図である。
【００１６】
ここで例示する自動販売機１は、缶入り飲料やペットボトル入り飲料、ビン入り飲料、缶ボトル入り飲料等の商品を冷却、もしくは加熱した状態で販売するためのもので、本体キャビネット１０を備えている。本体キャビネット１０は、複数の鋼板を組み合わせることによって構成したもので、前面が開口した箱状を成している。
【００１７】
本体キャビネット１０の内部には、内箱２０が設けてある。内箱２０は、本体キャビネット１０と同様に、複数の鋼板を組み合わせることにより、前面が開口した箱状に構成したものである。図には明示していないが、本体キャビネット１０と内箱２０との間には、内箱２０の内部を断熱構造とするために断熱材が充填してある。
【００１８】
内箱２０の内部には、複数の収容室２１が設けてある。複数の収容室２１は、内箱２０の内部に断熱仕切壁２２を設けることによって構成したもので、互いに熱的に独立している。各収容室２１の下方部には、シュータ２３が設けてある。シュータ２３は、商品収納ラック３０から払い出された商品を案内するためのもので、手前側に向けて下方に傾斜している。図には明示していないが、収容室２１の内部においてシュータ２３より下方となる領域には、内部を所望の温度に維持するための冷却ユニットや加熱ユニットが設けてある。
【００１９】
また、上記自動販売機１には、本体キャビネット１０の一側縁部に内扉４０及び外扉５０を保持させてある。内扉４０は、収容室２１の前面開口を開閉するためのもので、中空の鋼板パネルに断熱材を充填する等、断熱機能を有するように構成してある。外扉５０は、本体キャビネット１０の前面開口を開閉するためのものである。
【００２０】
外扉５０の前面には、上部に商品見本展示室５１と、該展示室５１内に配置される複数の商品見本５２と、該商品見本５２に対応して設けられる販売可能ランプおよび売切ランプを備える商品選択ボタン５３と、紙幣を挿入する紙幣挿入口５４と、硬貨を投入する硬貨投入口５５と、投入貨幣を返却する返却レバー５６と、釣銭などを返却する硬貨返却口５５ａと、投入金額表示を行う金額表示を含む一体表示器５７と、シュータ２３によって案内された商品を取り出すための商品取出口５８と、シリンダー錠付きのハンドル５９とが設けてある。
【００２１】
また、外扉５０の裏面側には、メインコントロールボックス１０１、各種設定・確認操作用の設定入力手段としてのリモコン１０２、硬貨投入口５５から投入された硬貨の真偽、種類などを選別し、計数および釣銭を払い出す硬貨処理装置１０３、紙幣挿入口５４から挿入された紙幣の真偽、種類などを識別する紙幣識別装置１０４などが配置されている。
【００２２】
なお、外扉５０には、外扉の開閉を検知するためのドアスイッチ５０ａが設けられている。
【００２３】
次に、図１は、本発明の実施例を示すブロック図であり、メインコントロールボックス１０１内には、自動販売機全体を制御する制御部１０１ａ、制御プログラムを記憶するメモリ１０１ｂ、自動販売機の動作に係る設定データを含む各種データを記憶するメモリ１０１ｃ、外扉５０が閉じられてからの時間、リモコンの未操作時間など計測するタイマ１０１ｄなどを備える。
【００２４】
このメインコントロールボックス１０１には、各種設定・確認操作用の設定入力手段としてのリモコン１０２、硬貨投入口５５から投入された硬貨の真偽、種類などを選別し、計数および釣銭を払い出す硬貨処理装置１０３、紙幣挿入口５４から挿入された紙幣の真偽、種類などを識別する紙幣識別装置１０４、冷却機およびヒータなどからなる冷熱装置１０５，商品を搬出する商品搬出装置１０６を制御する本体制御部１０７、販売可能ランプ５３ａおよび売切ランプ５３ｂを備える商品選択ボタン５３、一体表示器５７、ドアスイッチ５０ａがそれぞれ接続されている。
【００２５】
なお、硬貨処理装置１０３には、返却レバー５６が接続されており、通常時の操作においては、この返却レバー５６を操作することにより、保留中の硬貨あるいは紙幣が返却されるものである。
【００２６】
また、ドアスイッチ５０ａは、外扉５０が閉移動して本体キャビネット１０の前面開口が閉じられた場合にオフ状態となる一方、外扉５０が開移動して本体キャビネット１０の前面開口が開放された場合にオン状態となる。
【００２７】
この構成において、図２のフローチャート図を用い、第１の実施形態について、その制御動作を説明する。
【００２８】
まず、リモコン１０２が操作されたかを判断し（ステップＳ０１）、操作されたことを検知すると（ステップＳ０１，Ｙｅｓ）、タイマ１０１ｄのカウントがスタートする（ステップＳ０２）。次に、タイマ１０１ｄによるカウントが予め設定されている所定時間を経過したかを判断し（ステップＳ０３）、所定時間が経過すると（ステップＳ０３，Ｙｅｓ）、リモコン操作を強制終了させて（ステップＳ０４）、販売待機状態へ戻る（ステップＳ０５）。
【００２９】
次に、図３のフローチャート図を用い、第２の実施形態について、その制御動作を説明する。
【００３０】
まず、リモコン１０２が操作されたかを判断し（ステップＳ１１）、操作されたことを検知すると（ステップＳ１１，Ｙｅｓ）、タイマ１０１ｄのカウントがスタートする（ステップＳ１２）。次に、タイマ１０１ｄによるカウントが予め設定されている所定時間を経過したかを判断し（ステップＳ１３）、所定時間が経過すると（ステップＳ１３，Ｙｅｓ）、ドアスイッチ５０ａがオンで、外扉５０が開放状態かを判断し（ステップＳ１４）、外扉５０が開放状態であれば（ステップＳ１４，Ｙｅｓ）、リモコン１０２の操作中かを判断し（ステップＳ１５）、リモコン１０２の操作中であれば（ステップＳ１５，Ｙｅｓ）、リモコン１０２の操作可能な所定時間を延長する（ステップＳ１６）。
【００３１】
一方、ドアスイッチ５０ａがオフで外扉５０が閉じられている状態であれば（ステップＳ１４，Ｎｏ）、リモコン１０２を終了させて（ステップＳ１８）、販売待機状態へ戻る（ステップＳ１９）。
【００３２】
また、ステップＳ１５にて、リモコン１０２が操作中で無ければ（ステップＳ１５，Ｎｏ）、リモコン１０２を終了させて（ステップＳ１８）、販売待機状態へ戻る（ステップＳ１９）。
【００３３】
次に、リモコン１０２の操作可能な延長時間が経過すると（ステップＳ１７，Ｙｅｓ）、再度、ドアスイッチ５０ａがオンで、外扉５０が開放状態かを判断し（ステップＳ１４）、外扉５０が開放状態でなければ（ステップＳ１４，Ｎｏ）、リモコン１０２を終了させて（ステップＳ１８）、販売待機状態へ戻る（ステップＳ１９）。
【００３４】
なお、上記図３の処理では、延長時間経過後、ドアスイッチ５０ａがオンで、外扉５０が開放状態であれば、再延長も可能であり、外扉５０が開放していても、リモコン１０２が操作中でなければ、リモコン１０２を終了させて、販売待機状態へ戻る。
【００３５】
また、ドアスイッチ５０ａの状態に関係なく、延長を１回とし、延長時間が経過すれば、リモコン１０２を終了させて、販売待機状態へ戻るようにしてもよい。
【００３６】
次に、作業内容によって、所定時間を変更する場合については、例えば、複数の商品の入れ替えを行う際には、現収納商品の払出、新規商品の投入、設定作業などが必要であり、また、売上集計作業は作業量が多いため、このような設定モードが選択させた場合には、所定時間を長くするようにすることで、所定時間を意識することなく、作業が可能となる。
【００３７】
また、カレンダ機能を有する場合には、売上集計日を設定しておき、この日の作業は所定時間を長くするようにすることで、所定時間を意識することなく、作業が可能となる。
【符号の説明】
【００３８】
１            自動販売機
１０          本体キャビネット
５０          外扉
５０ａ        ドアスイッチ
１０１        メインコントロールボックス
１０１ａ      制御部
１０１ｂ      メモリ
１０１ｃ      メモリ
１０１ｄ      タイマ
１０２        リモコン
【図１】
0006048330.tif 000002
【図２】
0006048330.tif 000003
【図３】
0006048330.tif 000004
【図４】
0006048330.tif 000005
【図５】
0006048330.tif 000006